(57)【要約】      （修正有）【課題】椅子の背もたれ部に後付け可能なヘッドレストを提供する。【解決手段】椅子２の背もたれ部１０に後付け可能なヘッドレスト１であって、椅子に着座した人の後頭部を支えるヘッドレスト本体部１００と、ヘッドレスト本体部が固定され、背もたれ部に着脱可能に装着されるヘッドレスト装着部２００と、を備える。ヘッドレスト装着部は、棒状部材２１０と、棒状部材の上端部に設けられた、ヘッドレスト本体部を着脱可能に固定するための固定具２２０と、棒状部材の中間部に設けられた、棒状部材を背もたれ部の上端縁部に装着するための装着部材２３０と、棒状部材の下端部に設けられた、背もたれ部の背面側に当接する当接部２４０と、を有する。【選択図】図１
0003214756.tif 000002
【実用新案登録請求の範囲】
【請求項１】
椅子の背もたれ部に後付け可能なヘッドレストであって、
前記椅子に着座した人の後頭部を支えるヘッドレスト本体部と、
前記ヘッドレスト本体部が固定され、前記背もたれ部に装着されるヘッドレスト装着部と、
を備えた、ことを特徴とするヘッドレスト。
【請求項２】
前記ヘッドレスト本体部は、前記ヘッドレスト装着部に着脱可能に固定される、ことを特徴とする請求項１記載のヘッドレスト。
【請求項３】
前記ヘッドレスト装着部は、
棒状部材と、
前記棒状部材の上端部に設けられた、前記ヘッドレスト本体部を着脱可能に固定するための固定具と、
前記棒状部材の中間部に設けられた、前記棒状部材を前記背もたれ部の上端縁部に装着するための装着部材と、
前記棒状部材の下端部に設けられた、前記背もたれ部の背面側に当接する当接部と、
を有する、ことを特徴とする請求項１又は２記載のヘッドレスト。
【考案の詳細な説明】
【技術分野】
【０００１】
本考案は、椅子に装着可能なヘッドレストに関する。
【背景技術】
【０００２】
従来より背もたれの付いた椅子として、オフィス用やルーム用等の椅子が知られている。
【考案の概要】
【考案が解決しようとする課題】
【０００３】
しかしながら、この様な椅子で作業をする際に、作業内容によっては、ヘッドレストが付いていないために、肩こりや腰痛に悩まされる場合があり、これを回避するためには、ヘッドレスト付きの椅子に買い替える必要があった。
【０００４】
本考案は、従来のこの様な課題に鑑みて、椅子の背もたれ部に後付け可能なヘッドレストを提供することを目的とする。
【課題を解決するための手段】
【０００５】
第１の本考案は、椅子の背もたれ部に後付け可能なヘッドレストであって、
前記椅子に着座した人の後頭部を支えるヘッドレスト本体部と、
前記ヘッドレスト本体部が固定され、前記背もたれ部に装着されるヘッドレスト装着部と、
を備えた、ことを特徴とするヘッドレストである。
【０００６】
第２の本考案は、前記ヘッドレスト本体部は、前記ヘッドレスト装着部に着脱可能に固定される、ことを特徴とする上記第１の本考案のヘッドレストである。
【０００７】
第３の本考案は、前記ヘッドレスト装着部は、
棒状部材と、
前記棒状部材の上端部に設けられた、前記ヘッドレスト本体部を着脱可能に固定するための固定具と、
前記棒状部材の中間部に設けられた、前記棒状部材を前記背もたれ部の上端縁部に装着するための装着部材と、
前記棒状部材の下端部に設けられた、前記背もたれ部の背面側に当接する当接部と、
を有する、ことを特徴とする上記第１又は第２の本考案のヘッドレストである。
【考案の効果】
【０００８】
本考案によれば、椅子の背もたれ部に後付け可能なヘッドレストを提供することができる。
【図面の簡単な説明】
【０００９】
【図１】本実施の形態のヘッドレストを椅子の背もたれ部に装着した状態を示す斜視図
【図２】本実施の形態のヘッドレストを下方から見た斜視図
【図３】本実施の形態のヘッドレストにおける固定具の拡大斜視図
【図４】本実施の形態のヘッドレストにおける固定具にヘッドレスト本体部が固定された状態を示す斜視図
【図５】本実施の形態のヘッドレストにおける装着部材を斜め下方から見た拡大斜視図
【考案を実施するための形態】
【００１０】
以下、図面を参照しながら、本考案のヘッドレストに係る一実施の形態について説明する。
【００１１】
図１は、本実施の形態のヘッドレスト１を椅子２の背もたれ部１０に装着した状態を示す斜視図である。
【００１２】
また、図２は、本実施の形態のヘッドレスト１を下方から見た斜視図である。
【００１３】
本実施の形態のヘッドレスト１は、図１、図２に示す様に、（１）椅子２に着座した人の後頭部を支えるヘッドレスト本体部１００と、（２）ヘッドレスト本体部１００が着脱可能に固定され、椅子２の背もたれ部１０に着脱自在に装着されるヘッドレスト装着部２００と、から構成されている。
【００１４】
また、ヘッドレスト装着部２００は、図１、図２に示す様に、
【００１５】
（１）四角柱状の縦長の支柱部材２１０と、
【００１６】
（２）支柱部材２１０の上端部２１１に取り付けられた、ヘッドレスト本体部１００を着脱可能に固定するための複数の貫通孔２２１を有するざる形状の固定具２２０と、
【００１７】
（３）支柱部材２１０の中間部２１２に取り付けられた、当該支柱部材２１０を椅子２の背もたれ部１０の上端縁部１１に着脱自在に引っ掛けて装着するための装着部材２３０と、
【００１８】
（４）支柱部材２１０の下端部２１３に設けられた、椅子２の背もたれ部１０の背面側１２に当接するスペーサー部２４０と、を有している。
【００１９】
また、本実施の形態では、支柱部材２１０は、中空状の金属製パイプ部材であるが、これに限定されるものではなく、例えば、金属製以外に樹脂製や木製であっても良いし、その他の材質であっても良い。また、中空状でなくても良い。
【００２０】
また、固定具２２０は、図１、図３、図４に示す様に、当該固定具２２０に複数形成された貫通孔２２１に面ファスナー２２２を左右両側に挿入した状態で、ヘッドレスト本体部１００の左右両側を締め付けることにより、ヘッドレスト本体部１００を着脱可能に保持するものであるが、ヘッドレスト本体部１００の保持手段は、面ファスナー２２２に限定されるものではなく、例えば、紐でも良いし帯状の布でも良い。また、固定具２２０は、図３に示す様なざる形状に限らず例えば、単なる横方向に長い長板形状であって、中央部に形成された貫通孔を介してボルトで支柱部材２１０に固定される構成であっても良く、要するに、ヘッドレスト本体部１００を支柱部材２１０に固定出来さえすればどの様な構成であっても良い。また、ヘッドレスト本体部１００は着脱可能でなくても良い。
【００２１】
ここで、図３は、固定具２２０の拡大斜視図であり、図４は、固定具２２０にヘッドレスト本体部１００が固定された状態を示す斜視図である。
【００２２】
また、装着部材２３０は、図５に示す様に、
【００２３】
（１）支柱部材２１０に対して直交する様に左右幅の中央位置で固定されており、その固定位置が上下方向に調整可能となる様に、固定用ボルト２３１ａの貫通孔２３１ｂが長孔形状に形成されている横長形状の装着用ベースプレート２３１と、
【００２４】
（２）装着用ベースプレート２３１の左右両側の対象位置に形成された複数の貫通孔２３２ａの内の任意の貫通孔２３２ａを利用して固定用ボルト２３２ｂで着脱可能に取り付けられた左右一対の引っ掛けフック２３２Ｌ、２３２Ｒと、から構成されている。
【００２５】
ここで、図５は、装着部材２３０を斜め下方から見た拡大斜視図である。
【００２６】
また、本実施の形態の左右一対の引っ掛けフック２３２Ｌ、２３２Ｒは、略コの字形状を成しており、フック幅Ｗは固定されているが、これに限らず例えば、フック幅Ｗが、背もたれ部１０の上端縁部１１の幅や形状に応じて変更可能に構成されていても良い。この構成の場合、引っ掛けフックは、略Ｌ字形状の一辺部分に長孔が形成された第１Ｌ字部材と、略Ｌ字形状の一辺部分に長孔が形成された第２Ｌ字部材とから構成されており、それらの一辺部分を互いに重ね合わせた上で、それぞれの長孔をスライドさせて締結部材で固定することにより、引っ掛けフックのフック幅Ｗを変更可能にする構成としても良い。
【００２７】
上記構成によれば、装着用ベースプレート２３１に長孔形状の貫通孔２３１ｂが設けられているので、支柱部材２１０に対する固定位置が上下に調整可能となり、ヘッドレスト本体部１００の背もたれ部１０に対する装着高さが調整可能となる。
【００２８】
また、上記構成によれば、椅子２の背もたれ部１０の上端縁部１１の幅や形状に応じて、左右一対の引っ掛けフック２３２Ｌ、２３２Ｒの間隔を調整することが出来、また、フック幅Ｗも適宜調整することが出来るので、ヘッドレスト装着部２００を背もたれ部１０に簡単に且つ確実に取り付けることが出来る。
【００２９】
また、スペーサー部２４０は、支柱部材２１０の下端部２１３と、椅子２の背もたれ部１０の背面側１２の下方中央部との間に生じる隙間Ｓを埋めると共に、背もたれ部１０の背面側１２に傷をつけずに当接する様に略円柱形状を成しており、支柱部材２１０の下端部２１３に前後方向に貫通形成された縦長の長孔２４１を介して背面からボルト２４２により上下位置スライド可能に固定されている。また、その当接面には、例えばゴムシート等の弾性部材が貼り付けられている。
【００３０】
上記構成によれば、隙間Ｓに応じて、スペーサー部２４０の固定位置を上下にスライド調整して、ボルト２４２を締め付けることにより、支柱部材２１０の下端部２１３側が、常に背もたれ部１０の背面側１２に当接しているので、ヘッドレスト本体部１００の前後位置が安定する。
【００３１】
また、上記構成によれば、椅子２の背もたれ部１０の背面側１２の傾斜面に沿って、スペーサー部２４０の固定位置を上下にスライド調整することにより、引っ掛けフック２３２Ｌ、２３２Ｒを支点として、支柱部材２１０が前後に回動するので、その結果、ヘッドレスト本体部１００の前後位置を調整することが出来る。即ち、椅子２の背もたれ部１０の背面側１２の傾斜面は、図１に示す様に、通常、側面視で、上方に向かうに従って後方に後退する様に傾斜しているので、例えば、スペーサー部２４０を長孔２４１の最上端にスライドさせて固定すると、引っ掛けフック２３２Ｌ、２３２Ｒを支点として、支柱部材２１０が左側面視で反時計回りに回動するので、その結果、ヘッドレスト本体部１００の位置が前方に移動する。
【００３２】
本実施の形態のヘッドレスト１によれば、背もたれ部のある椅子に対して、後付けで簡単に装着出来、また、簡単に取り外しが出来るという効果を発揮する。
【００３３】
本実施の形態のヘッドレスト本体部１００は、本考案のヘッドレスト本体部の一例にあたり、本実施の形態のヘッドレスト装着部２００は、本考案のヘッドレスト装着部の一例にあたる。また、本実施の形態の支柱部材２１０は、本考案の棒状部材の一例にあたり、本実施の形態の固定具２２０は、本考案の固定具の一例にあたる。また、本実施の形態の装着部材２３０は、本考案の装着部材の一例にあたり、本実施の形態のスペーサー部２４０は、本考案の当接部の一例にあたる。
【００３４】
なお、上記実施の形態では、装着用ベースプレート２３１、及び左右一対の引っ掛けフック２３２Ｌ、２３２Ｒは、椅子２の背もたれ部１０に直接に接触する様に構成されている場合について説明したが、これに限らず例えば、それぞれの部材の内側の背もたれ部１０との接触面に、軟質のスペーサー兼滑り止め用のシート状部材を貼り付けた構成としても良い。これにより、背もたれ部１０が硬い木製やパイプ形状の椅子の場合でも、装着用ベースプレート２３１、及び左右一対の引っ掛けフック２３２Ｌ、２３２Ｒが滑ったりずれたりすることが防止出来るので、ヘッドレスト１を椅子の背もたれ部にしっかりと装着することが出来る。
【００３５】
なお、上記実施の形態では、固定具２２０は支柱部材２１０に固定されている場合について説明したが、これに限らず例えば、固定具２２０が横方向に長い長板形状を成しており、当該固定具２２０の固定位置を上下に変更出来る構成としても良い。この場合、例えば、固定具２２０の左右中央部に上下方向に長い長孔を設けて、支柱部材２１０に固定する際に、その長孔を介してボルト等を締め付ける構成とすることにより、固定具２２０の固定位置を長孔の上下方向に沿って変更することが出来る。これにより、ヘッドレスト本体部１００の位置を上下方向に調整することが出来る。この構成の場合、ヘッドレスト本体部１００は、面ファスナー２２２等により、長板形状の固定具に固定すれば良い。
【００３６】
また、上記実施の形態では、スペーサー部２４０は、支柱部材２１０に形成された長孔２４１を介して上下方向にスライド移動可能に構成されている場合について説明したが、これに限らず例えば、支柱部材２１０の下端部２１３には長孔２４１に代えて孔形状が円形の貫通孔が形成されており、その貫通孔に支柱部材２１０の前後厚みより十分に長いねじ部を有する長ボルトが貫通挿入されており、且つ、その名がボルトには貫通孔の前側開口部と後側開口部の両側においてそれぞれ締め付け用ナットが螺合されており、その長ボルトのねじ先端部には上述したスペーサー部２４０が固定されている構成であっても良い。この構成によれば、上述した隙間Ｓに応じて、貫通孔の前側開口部からの長ボルトの突き出し距離を調整して、貫通孔の前側開口部と後側開口部の両側から上記締め付け用ナットを締め付けることにより、長ボルトが調整後の突き出し距離を維持した状態で支柱部材２１０にしっかりと固定される。また、この長ボルトによる突き出し距離の調整により、ヘッドレスト本体部１００の前後位置を調整することも出来る。
【００３７】
また、上記実施の形態では、装着用ベースプレート２３１は、真っすぐな板状部材である場合について説明したが、これに限らず例えば、椅子の背もたれ部が平面視で人の背中に沿う様に緩やかに湾曲している場合を考慮して、装着用ベースプレート２３１を平面視で緩やかに湾曲させた形状としても良い。これにより、左右一対の引っ掛けフック２３２Ｌ、２３２Ｒを、椅子２の背もたれ部１０の上端縁部１１にスムーズに装着することが出来る。
【産業上の利用可能性】
【００３８】
本考案によれば、椅子の背もたれ部に後付け可能なヘッドレストとして有用である。
【符号の説明】
【００３９】
１    ヘッドレスト
２    椅子
１０  背もたれ部
１１  上端縁部
１２  背面側
１００  ヘッドレスト本体部
２００  ヘッドレスト装着部
２１０  支柱部材
２２０  固定具
２３０  装着部材
２４０  スペーサー部
【図１】
0003214756.tif 000003
【図２】
0003214756.tif 000004
【図３】
0003214756.tif 000005
【図４】
0003214756.tif 000006
【図５】
0003214756.tif 000007